【手続補正書】
【提出日】平成27年11月28日(2015.11.28)
【手続補正１】
【補正対象書類名】特許請求の範囲
【補正対象項目名】全文
【補正方法】変更
【補正の内容】
【特許請求の範囲】
【請求項１】
記録媒体に画像を形成する、カートリッジを着脱可能な画像形成装置であって、
前記画像形成装置の装置本体に設けられた開口と、
前記開口を閉じる閉じ位置と前記開口を開放する開放位置とを取り得る本体ドアと、
前記カートリッジを載置するためのトレイであって、前記本体ドアを前記閉じ位置に位置させた際に、前記装置本体の内部において前記カートリッジを画像形成動作可能な位置に位置させる画像形成位置と、前記本体ドアを前記開放位置に位置させた際に、前記装置本体の外部において前記カートリッジを着脱可能にするための着脱位置と、を取り得る移動可能なトレイと、
前記カートリッジの長手方向において、前記トレイに載置された前記カートリッジを一端側から他端側へ押圧付勢する付勢部材と、
前記トレイに載置された前記カートリッジの前記他端側と対向する固定の側板と、を有し、
前記カートリッジは前記他端側に位置決め部を有し、前記カートリッジを載置した前記トレイが前記画像形成位置にあるときに前記付勢部材により前記カートリッジが押圧されることで前記位置決め部が前記側板に当接して前記カートリッジの前記長手方向の位置決めがなされることを特徴とする画像形成装置。
【請求項２】
前記付勢部材が前記カートリッジへの駆動伝達部材に設けられていることを特徴とする請求項１に記載された画像形成装置。
【請求項３】
前記付勢部材による前記カートリッジの押圧と、押圧の解除の動作が前記本体ドアの開閉動作に連動して行われることを特徴とする請求項１又は２に記載の画像形成装置。
【請求項４】
前記側板に前記カートリッジと導通する電気接点ユニットを有し、前記電気接点ユニットの前記長手方向の位置決めが前記側板によってなされることを特徴とする請求項１乃至３のいずれか一項に記載の画像形成装置。
【請求項５】
前記カートリッジは露光により潜像が形成される像担持体を有し、前記装置本体は、前記像担持体に対し露光して潜像を形成するための露光装置ユニットと前記露光装置ユニットを保持する露光装置保持部材とを有し、前記露光装置保持部材の前記長手方向の位置決めが前記側板によってなされることを特徴とする請求項１乃至４のいずれか一項に記載の画像形成装置。
【請求項６】
前記像担持体は電子写真感光体であり、前記長手方向は前記電子写真感光体の軸線方向であることを特徴とする請求項５に記載の画像形成装置。
【請求項７】
前記カートリッジは現像剤像が形成される像担持体を有し、前記装置本体は前記像担持体に対向して現像剤像が一次転写され、その現像剤像を記録媒体に二次転写する中間転写ユニットを有し、前記中間転写ユニットの前記長手方向の位置決めが前記側板によってなされることを特徴とする請求項１乃至６のいずれか一項に記載の画像形成装置。
【請求項８】
前記記録媒体を収容し、一枚ずつ搬送する給紙ユニットを有し、前記給紙ユニットの前記長手方向の位置決めが前記側板によってなされることを特徴とする請求項１乃至７のいずれか一項に記載の画像形成装置。
【請求項９】
現像剤像が転写された記録媒体に熱と圧をかけて像を定着させ排紙させる定着ユニットを有し、前記定着ユニットの前記長手方向の位置決めが前記側板によってなされることを特徴とする請求項１乃至８のいずれか一項に記載の画像形成装置。
【請求項１０】
前記カートリッジは潜像が形成される像担持体を有し、前記装置本体は前記像担持体と接触して前記像担持体に形成された現像剤像が転写される転写ユニットを有し、前記トレイの前記画像形成位置は前記像担持体と前記転写ユニットが接触する位置であることを特徴とする請求項１乃至９のいずれか一項に記載の画像形成装置。
【請求項１１】
前記転写ユニットは、前記像担持体に形成された現像剤像が転写され、転写された現像剤像を前記記録媒体に転写するための中間転写体を有することを特徴とする請求項１０に記載の画像形成装置。
【請求項１２】
前記転写ユニットは、前記像担持体に形成された現像剤像を直接に前記記録媒体に転写させるために前記記録媒体を搬送する記録媒体搬送部材を有することを特徴とする請求項１０に記載の画像形成装置。
【請求項１３】
前記トレイは、前記トレイの移動方向において、複数の前記カートリッジを並べて載置可能であることを特徴とする請求項１乃至１２のいずれか一項に記載の画像形成装置。
【請求項１４】
前記トレイは、前記装置本体の内部と外部との間において、前記装置本体の設置面に対して水平方向、或いは斜め上方、或いは斜め下方へ直線的に移動可能であることを特徴とする請求項１乃至１３のいずれか一項に記載の画像形成装置。
【請求項１５】
前記トレイは、前記着脱位置において、前記カートリッジを上方に取り出し可能に支持する、及び、前記カートリッジを下方に向かって移動させることによって支持することを特徴とする請求項１乃至１３のいずれか一項に記載の画像形成装置。
【請求項１６】
前記カートリッジは、潜像が形成される像担持体と前記像担持体に形成された潜像を現像剤で現像する現像手段とを備えたプロセスカートリッジであることを特徴とする請求項１乃至１３のいずれか一項に記載の画像形成装置。
【請求項１７】
前記カートリッジは、潜像が形成される像担持体と前記像担持体に形成された潜像を現像剤で現像する現像手段以外の画像形成プロセス手段とを備えた分離型のプロセスカートリッジであることを特徴とする請求項１乃至１３のいずれか一項に記載の画像形成装置。 
【請求項１８】
前記カートリッジは、潜像が形成される像担持体に形成された潜像を現像剤で現像する現像手段と前記潜像を現像するために用いられる現像剤を収納収容している現像剤収納部とを有する現像カートリッジであることを特徴とする請求項１乃至１３のいずれか一項に記載の画像形成装置。
【請求項１９】
前記カートリッジは、潜像が形成される像担持体と前記像担持体に形成された潜像を現像剤で現像する現像手段以外の画像形成プロセス手段とを備えた分離型のプロセスカートリッジ、および、前記像担持体に形成された潜像を現像剤で現像する現像手段と前記潜像を現像するために用いられる現像剤を収納している現像剤収納部とを有する現像カートリッジとの組み合わせであることを特徴とする請求項１乃至１３のいずれか一項に記載の画像形成装置。
【手続補正２】
【補正対象書類名】明細書
【補正対象項目名】００２０
【補正方法】変更
【補正の内容】
【００２０】
上記の目的を達成するための本発明に係る画像形成装置の代表的な構成は、記録媒体に画像を形成する、カートリッジを着脱可能な画像形成装置であって、前記画像形成装置の装置本体に設けられた開口と、前記開口を閉じる閉じ位置と前記開口を開放する開放位置とを取り得る本体ドアと、前記カートリッジを載置するためのトレイであって、前記本体ドアを前記閉じ位置に位置させた際に、前記装置本体の内部において前記カートリッジを画像形成動作可能な位置に位置させる画像形成位置と、前記本体ドアを前記開放位置に位置させた際に、前記装置本体の外部において前記カートリッジを着脱可能にするための着脱位置と、を取り得る移動可能なトレイと、前記カートリッジの長手方向において、前記トレイに載置された前記カートリッジを一端側から他端側へ押圧付勢する付勢部材と、前記トレイに載置された前記カートリッジの前記他端側と対向する固定の側板と、を有し、前記カートリッジは前記他端側に位置決め部を有し、前記カートリッジを載置した前記トレイが前記画像形成位置にあるときに前記付勢部材により前記カートリッジが押圧されることで前記位置決め部が前記側板に当接して前記カートリッジの前記長手方向の位置決めがなされることを特徴とする。
【手続補正３】
【補正対象書類名】明細書
【補正対象項目名】００７７
【補正方法】変更
【補正の内容】
【００７７】
左側面部には、カートリッジＰの左右方向の位置決め突起部（位置決め部）５７、および、カートリッジ電気接点（給電接点部）５５を配設してある。左側面部と右側面部にはカートリッジ枠体５の一部をそれぞれ左右方向に延長して張り出させて、庇部５６を具備させてある。カートリッジ枠体５の上面には長手に沿って露光窓６を配設してある。
【手続補正４】
【補正対象書類名】明細書
【補正対象項目名】００７８
【補正方法】変更
【補正の内容】
【００７８】
上記のカートリッジＰにおいて、カップリング嵌合部５３、５４を具備させた右側面部が駆動側であり、その反対側の電気接点５５を配設してある左側面部が非駆動側である。即ち、カートリッジＰは、トレイ３５に載置された状態において、トレイ３５の着脱位置Ｅと移動可能位置Ｄとの間の移動方向に対してトレイ移動面において直交方向（カートリッジの長手方向）の一端側（右側）に駆動連結部５３、５４を有する。そして、他端側（左側）に給電接点部５５を有している。